(57)【要約】【課題】複数の風力発電装置を備える風力発電所の監視システムにおいて、風力発電装置の状態をより効率的に監視する。【解決手段】各風力発電装置１０は、自号機において収集される第１のデータ、及び通信装置を通じて他号機から取得される第２のデータを用いて、各風力発電装置１０の状態を監視する状態監視装置を備える。状態監視装置は、他号機の運転条件が自号機の運転条件と一致する場合に、他号機から第１のデータと同期する第２のデータを取得する。そして、状態監視装置は、第１のデータ及び第２のデータを含む第１の集合データのばらつき度合いに基づいて、各風力発電装置１０の状態を監視する。【選択図】図１
2019173706.tif 000002
【特許請求の範囲】
【請求項１】
複数の風力発電装置を備える風力発電所の監視システムであって、
前記複数の風力発電装置は、
第１の風力発電装置と、
複数の第２の風力発電装置とを含み、
前記第１の風力発電装置は、
前記複数の第２の風力発電装置と通信するように構成された通信装置と、
前記第１の風力発電装置において収集される第１のデータ、及び前記通信装置を通じて前記複数の第２の風力発電装置から取得される第２のデータを用いて、前記第１の風力発電装置の状態を監視する状態監視装置とを備え、
前記状態監視装置は、
前記複数の第２の風力発電装置の運転条件が前記第１の風力発電装置の運転条件と一致する場合に、前記複数の第２の風力発電装置から前記第１のデータと同期する前記第２のデータを取得し、
前記第１のデータ及び前記第２のデータを含む第１の集合データのばらつき度合いに基づいて、前記第１の風力発電装置の状態を監視する、風力発電所の監視システム。
【請求項２】
前記状態監視装置は、前記第１の集合データのばらつき度合いよりも、前記第１の集合データから前記第１のデータを除外した第２の集合データのばらつき度合いの方が小さい場合に、前記第１の風力発電装置において異常が生じていると判定する、請求項１に記載の風力発電所の監視システム。
【請求項３】
前記状態監視装置は、異常が生じていると判定された回数が所定数以上の場合に、アラームを報知するための処理を実行する、請求項１又は請求項２に記載の風力発電所の監視システム。
【請求項４】
前記状態監視装置は、前記第１の集合データのばらつき度合いに基づいて、前記複数の第２の風力発電装置の状態をさらに監視する、請求項１から請求項３のいずれか１項に記載の風力発電所の監視システム。
【請求項５】
前記状態監視装置は、前記第１の集合データのばらつき度合いよりも、前記複数の第２の風力発電装置のうち監視対象の風力発電装置のデータを前記第１の集合データから除外した第３の集合データのばらつき度合いの方が小さい場合に、前記監視対象の風力発電装置において異常が生じていると判定する、請求項４に記載の風力発電所の監視システム。
【請求項６】
前記状態監視装置は、異常が生じていると判定された回数が所定数以上の前記監視対象の風力発電装置に対して、前記通信装置を通じてアラームを通知する、請求項５に記載の風力発電所の監視システム。
【請求項７】
前記第１の風力発電装置は、前記第１のデータ、及び前記通信装置を通じて取得された前記第２のデータを蓄える記憶装置をさらに備える、請求項１から請求項６のいずれか１項に記載の風力発電所の監視システム。
【請求項８】
前記第１のデータ及び前記第２のデータの各々は、複数の計測データを含む、請求項１から請求項７のいずれか１項に記載の風力発電所の監視システム。
【請求項９】
前記通信装置は、前記複数の第２の風力発電装置と無線により通信を行なうように構成される、請求項１から請求項８のいずれか１項に記載の風力発電所の監視システム。
【発明の詳細な説明】
【技術分野】
【０００１】
この発明は、風力発電所の監視システムに関し、特に、複数の風力発電装置を備える風力発電所の監視システムに関する。
【背景技術】
【０００２】
環境に配慮した発電所として、複数の風力発電装置を備える風力発電所（以下、単に「サイト」と称する場合がある。）が注目されている。各風力発電装置においては、風力を回転力に変換するブレード及びその回転力を電力に変換するための変換装置を格納するナセルが、支柱上の高所（たとえば地上数十メートル）に配設される。このため、サイト内の各風力発電装置において、各種センサから収集されるデータを用いて風力発電装置の状態を監視することが行なわれている。
【０００３】
たとえば、特開２０１２−１８１１６８号公報（特許文献１）には、風力発電装置において、軸受を備える転動装置の状態を監視する監視装置が開示されている。この監視装置においては、風力発電装置内に設けられるデータ処理装置において、転動装置の状態を評価するための、各種測定データ（転動装置における潤滑油中の混入水分濃度や、転動装置を構成する軸受の振動、内外輪間の相対変位等）に対するしきい値が予め設定される。そして、各種測定データがしきい値と比較され、その比較結果に基づいて転動装置の状態が評価される（特許文献１参照）。
【先行技術文献】
【特許文献】
【０００４】
【特許文献１】特開２０１２−１８１１６８号公報
【発明の概要】
【発明が解決しようとする課題】
【０００５】
特許文献１に記載の監視装置は、風力発電装置毎にデータを収集して状態監視を行なうものであるため、複数の風力発電装置を備えるサイトにおいても、各風力発電装置において個別にしきい値を設定する必要がある。たとえば、収集データを用いて状態判定用のしきい値が作成されるような場合、風力発電装置毎に、データの収集を行ない、収集されたデータを用いてしきい値を設定し、設定されたしきい値を管理する必要がある。しかしながら、多数の風力発電装置を有するサイトにおいては、このような個別的な状態監視は効率的とはいえず、より効率的な状態監視が望まれる。
【０００６】
本発明は、上記の課題を解決するためになされたものであり、その目的は、複数の風力発電装置を備える風力発電所の監視システムにおいて、風力発電装置の状態をより効率的に監視することである。
【課題を解決するための手段】
【０００７】
本発明における監視システムは、複数の風力発電装置を備える風力発電所の監視システムであって、複数の風力発電装置は、第１の風力発電装置と、複数の第２の風力発電装置とを含む。第１の風力発電装置は、複数の第２の風力発電装置と通信するように構成された通信装置と、第１の風力発電装置において収集される第１のデータ、及び通信装置を通じて複数の第２の風力発電装置から取得される第２のデータを用いて、第１の風力発電装置の状態を監視する状態監視装置とを備える。状態監視装置は、複数の第２の風力発電装置の運転条件が第１の風力発電装置の運転条件と一致する場合に、複数の第２の風力発電装置から第１のデータと同期する第２のデータを取得する。そして、状態監視装置は、第１のデータ及び第２のデータを含む第１の集合データのばらつき度合いに基づいて、第１の風力発電装置の状態を監視する。
【０００８】
この監視システムでは、第１の風力発電装置において、第１のデータが収集されるとともに、複数の第２の風力発電装置の運転条件が第１の風力発電装置の運転条件と一致する場合に、複数の第２の風力発電装置から第１のデータと同期する第２のデータが取得される。そして、状態監視装置により、第１のデータ及び取得された第２のデータを含む第１の集合データのばらつき度合いに基づいて、第１の風力発電装置の状態が監視される。これにより、複数の風力発電装置の各々において、固定的なしきい値を予め設定し、設定されたしきい値を管理する必要はなくなり、運転条件が一致し、かつ、同期した複数の風力発電装置のデータを用いて風力発電装置（第１の風力発電装置）の状態を監視することができる。したがって、この監視システムによれば、風力発電装置の状態をより効率的に監視することができる。
【０００９】
なお、上記において、「同期する」とは、厳密に時期が同じであることに限定されるものではなく、第１のデータの収集時期を含む所定範囲の期間であることを含む。
【００１０】
好ましくは、状態監視装置は、第１の集合データのばらつき度合いよりも、第１の集合データから第１のデータを除外した第２の集合データのばらつき度合いの方が小さい場合に、第１の風力発電装置において異常が生じていると判定する。
【００１１】
好ましくは、状態監視装置は、異常が生じていると判定された回数が所定数以上の場合に、アラームを報知するための処理を実行する。
【００１２】
好ましくは、状態監視装置は、第１の集合データのばらつき度合いに基づいて、複数の第２の風力発電装置の状態をさらに監視する。
【００１３】
さらに好ましくは、状態監視装置は、第１の集合データのばらつき度合いよりも、複数の第２の風力発電装置のうち監視対象の風力発電装置のデータを第１の集合データから除外した第３の集合データのばらつき度合いの方が小さい場合に、監視対象の風力発電装置において異常が生じていると判定する。
【００１４】
さらに好ましくは、状態監視装置は、異常が生じていると判定された回数が所定数以上の監視対象の風力発電装置に対して、通信装置を通じてアラームを通知する。
【００１５】
好ましくは、第１の風力発電装置は、第１のデータ、及び通信装置を通じて取得された第２のデータを蓄える記憶装置をさらに備える。
【００１６】
好ましくは、第１のデータ及び第２のデータの各々は、複数の計測データを含む。
好ましくは、通信装置は、複数の第２の風力発電装置と無線により通信を行なうように構成される。
【発明の効果】
【００１７】
本発明によれば、複数の風力発電装置を備える風力発電所の監視システムにおいて、風力発電装置の状態をより効率的に監視することができる。
【図面の簡単な説明】
【００１８】
【図１】本発明の実施の形態に従う監視システムが適用される風力発電所の全体図である。
【図２】図１に示す各風力発電装置の構成例を示す図である。
【図３】監視ユニットの構成例を示したブロック図である。
【図４】図３に示す状態監視装置により実行される処理の手順の一例を示すフローチャートである。
【図５】図４のステップＳ４５において実行される状態監視処理の具体的な手順の一例を示すフローチャートである。
【図６】状態監視処理における各種データの演算結果の一例を示す図である。
【図７】累積異常ポイントの推移例を示す図である。
【図８】変形例における風力発電所の全体図である。
【図９】図８に示す各風力発電装置の構成例を示す図である。
【発明を実施するための形態】
【００１９】
以下、本発明の実施の形態について、図面を参照しながら詳細に説明する。なお、図中同一又は相当部分には同一符号を付してその説明は繰り返さない。
【００２０】
＜風力発電所の全体構成＞
図１は、本発明の実施の形態に従う監視システムが適用される風力発電所の全体図である。図１を参照して、風力発電所１は、複数の風力発電装置１０（１０−１〜１０−１０）と、ハブ装置１２と、監視端末１４とを備える。この例では、風力発電所１が１０機の風力発電装置１０を備える場合について示されているが、風力発電所１が備える風力発電装置１０の数はこれに限定されるものではない。
【００２１】
各風力発電装置１０は、ブレードにより風力を回転力に変換して発電機により発電する。各風力発電装置１０のサイズは同等であり、サイト内において、各風力発電装置１０は、隣接の風力発電装置１０とたとえば数百メートルの間隔をあけて配設される。
【００２２】
各風力発電装置１０において、風力を回転力に変換するブレード、及びその回転力を電力に変換するための増速機や発電機等を格納するナセルは、タワー（支柱）上の高所（たとえば地上数十メートル）に設置される。ブレード及びナセルは、タワー上に回動自在に支持され、風向きに応じてヨー角が制御される。
【００２３】
ナセル内には、回転力を伝達する主軸を支持する主軸受や増速機等の状態を検出するための各種センサ（振動センサや温度センサ等）が設置され、風力発電装置１０の状態を監視するための各種データが収集される。
【００２４】
なお、以下では、ある風力発電装置１０について、その風力発電装置１０を「自号機」と称し、他の風力発電装置１０を「他号機」と称する場合がある。この場合、自号機は、この発明における「第１の風力発電装置」に対応し、残余の複数の他号機は、この発明における「複数の第２の風力発電装置」に対応する。
【００２５】
各風力発電装置１０には、他号機と通信するための通信装置と、自号機及び他号機の状態を監視する状態監視装置とがさらに設けられる。なお、他号機においても、その他号機の状態が監視されるので、各風力発電装置１０において他号機の状態を監視することは必須ではない。各風力発電装置１０は、ＬＡＮ（Local  Area  Network）ケーブルによってハブ装置１２に接続されており、各風力発電装置１０は、ハブ装置１２を通じて他号機と通信することができる。
【００２６】
そして、各風力発電装置１０は、他号機において収集されたデータを通信装置によって他号機から取得し、自号機において収集されたデータとともに他号機から取得された他号機のデータを用いて、状態監視装置により自号機及び他号機の状態を監視する。この点については、後ほど詳しく説明する。
【００２７】
ハブ装置１２は、複数の風力発電装置１０間で通信を行なうための集線装置であり、各風力発電装置１０の通信装置とＬＡＮケーブルによって接続されている。これにより、各風力発電装置１０は、ハブ装置１２を通じて他号機と各種データをやり取りすることができる。ハブ装置１２は、各風力発電装置１０とは別に地上に設置されるものとするが、複数の風力発電装置１０のいずれかに設置されてもよい。
【００２８】
監視端末１４は、地上に設置され、ディスプレイを含むＰＣ端末等によって構成される。監視端末１４も、ＬＡＮケーブルによってハブ装置１２に接続されている。そして、監視端末１４は、各風力発電装置１０の状態監視装置による状態監視の結果や、各風力発電装置１０において収集されるデータ等をハブ装置１２経由で取得して、ディスプレイに表示することができる。
【００２９】
図２は、図１に示した各風力発電装置１０の構成例を示す図である。図２を参照して、風力発電装置１０は、主軸２０と、ブレード３０と、増速機４０と、発電機５０と、主軸受６０と、ナセル９０と、タワー１００とを備える。また、風力発電装置１０は、センサ７０Ａ〜７０Ｉと、監視ユニット８０とをさらに備える。主軸２０の一部、増速機４０、発電機５０、主軸受６０、センサ７０Ａ〜７０Ｉ、及び監視ユニット８０は、ナセル９０に格納され、ナセル９０は、タワー１００によって支持される。
【００３０】
主軸２０は、ナセル９０内に挿入されて増速機４０の入力軸に接続され、主軸受６０によって回転自在に支持される。主軸２０は、風力を受けたブレード３０により発生する回転トルクを増速機４０の入力軸へ伝達する。ブレード３０は、主軸２０の先端に設けられ、風力を回転トルクに変換して主軸２０に伝達する。
【００３１】
主軸受６０は、ナセル９０内において固設され、主軸２０を回転自在に支持する。主軸受６０は、転がり軸受によって構成され、たとえば、自動調芯ころ軸受や円すいころ軸受、円筒ころ軸受、玉軸受等によって構成される。なお、これらの軸受は、単列のものでも複列のものでもよい。
【００３２】
増速機４０は、主軸２０と発電機５０との間に設けられ、主軸２０の回転速度を増速して発電機５０へ出力する。一例として、増速機４０は、遊星ギヤや中間軸、高速軸等を含む歯車増速機構によって構成される。発電機５０は、増速機４０の出力軸に接続され、増速機４０から受ける回転トルクによって発電する。発電機５０は、たとえば、誘導発電機によって構成される。
【００３３】
センサ７０Ａ〜７０Ｉは、風力発電装置１０の状態を監視するためのセンサであり、ナセル９０の内部の各機器に固設される。具体的には、センサ７０Ａは、主軸受６０の上面に固設され、主軸受６０の状態を監視する。センサ７０Ｂ〜７０Ｄは、増速機４０の上面に固設され、増速機４０の状態を監視する。センサ７０Ｅ，７０Ｆは、発電機５０の上面に固設され、発電機５０の状態を監視する。センサ７０Ｇは、主軸受６０に固設され、ミスアライメントとナセル９０の異常振動を監視する。センサ７０Ｈは、主軸受６０に固設され、アンバランスとナセル９０の異常振動を監視する。センサ７０Ｉは、ナセル９０の床面に固設され、ナセル９０の回転角速度（単位時間あたりの回転数でもよい。）を検出する。各センサ７０Ａ〜７０Ｉの検出値は、監視ユニット８０へ出力される。
【００３４】
なお、上記のセンサ７０Ａ〜７０Ｉは、風力発電装置１０の状態を監視するための各種センサの一例であり、センサ７０Ａ〜７０Ｉの全てが必須というわけではなく、また、センサ７０Ａ〜７０Ｉと異なるセンサが設けられてもよい。
【００３５】
監視ユニット８０は、ナセル９０の内部に設けられ、センサ７０Ａ〜７０Ｉの検出値を受ける。なお、図示していないが、センサ７０Ａ〜７０Ｉと監視ユニット８０とは、有線ケーブルで接続されている。また、監視ユニット８０は、ＬＡＮケーブル８５によってハブ装置１２（図１）に接続されており、他号機の監視ユニット８０と通信することができる。そして、監視ユニット８０は、他号機において測定された各種計測データを他号機から取得し、自号機の測定データと取得された他号機の測定データとを用いて、自号機及び他号機の状態監視を行なう。
【００３６】
＜状態監視手法の説明＞
風力発電装置において、収集される各種測定データに対して状態判定用のしきい値を予め設定し、測定データとしきい値との比較結果に基づいて風力発電装置の状態を評価することが従来より行なわれている。
【００３７】
このような手法では、風力発電装置毎に、各種データの収集を行ない、収集された測定データを用いて適当なしきい値を予め設定し、設定されたしきい値を管理する必要がある。しかしながら、多数のデータが収集される風力発電装置をさらに多数備える風力発電所においては、上記のような個別的な（風力発電装置毎の）状態監視は効率的とはいえず、より効率的な状態監視が望まれる。
【００３８】
そこで、この実施の形態に従う風力発電所の監視システムでは、各風力発電装置１０において、各センサ７０Ａ〜７０Ｉにより自号機のデータ（第１のデータ）が収集されるとともに、他号機の運転条件が自号機の運転条件と一致する場合に、自号機のデータ（第１のデータ）と同期する他号機のデータ（第２のデータ）が他号機から取得される。
【００３９】
なお、運転条件とは、たとえば、主軸２０（ブレード３０）の回転速度や、発電機５０の発電電力等である。また、「同期する」とは、厳密な同時期に限定されるものではなく、自号機のデータ（第１のデータ）と同期する他号機のデータ（第２のデータ）とは、自号機のデータの収集時期を含む所定範囲の期間における他号機のデータを含む。
【００４０】
そして、自号機のデータ（第１のデータ）及び取得された他号機のデータ（第２のデータ）を含む集合データ（第１の集合データ）のばらつき度合いに基づいて、自号機及び他号機の状態が監視される。
【００４１】
これにより、各風力発電装置１０において、固定的なしきい値を予め設定し、設定されたしきい値を管理する必要はなくなり、運転条件が一致し、かつ、同期した複数の風力発電装置１０のデータを用いて風力発電装置１０の状態を監視することができる。したがって、風力発電装置１０の状態をより効率的に監視することができる。以下、このような状態監視を行なう監視ユニット８０の構成、及び状態監視処理の具体的内容について詳しく説明する。
【００４２】
図３は、監視ユニット８０の構成例を示したブロック図である。図３を参照して、監視ユニット８０は、通信装置８１と、状態監視装置８２と、記憶装置８３とを含む。通信装置８１は、ＬＡＮケーブル８５を通じてハブ装置１２（図１）に接続されており、ハブ装置１２を通じて他号機の監視ユニット８０の通信装置との間で双方向にデータ通信可能に構成される。
【００４３】
状態監視装置８２は、演算処理装置と、メモリ（ＲＯＭ（Read  Only  Memory）及びＲＡＭ（Random  Access  Memory））と、各種信号を入出力するための入出力ポートとを含んで構成される（いずれも図示せず）。状態監視装置８２は、自号機のセンサ群（センサ７０Ａ〜７０Ｉ）から各種データを取得する（以下「検出データ」と称する。）。そして、状態監視装置８２は、取得された検出データから、状態監視に即した計測データを算出する。
【００４４】
一例として、状態監視装置８２は、主軸受６０に設けられたセンサ７０Ａの検出データから、状態監視に即した計測データとして主軸受６０の振動の実効値を算出する。また、状態監視装置８２は、増速機４０に設けられたセンサ７０Ｂの検出データから、計測データとして増速機４０の振動の実効値を算出する。
【００４５】
状態監視装置８２は、自号機の運転条件と一致する運転条件を有する他号機から自号機の計測データと同期する計測データを取得するために、通信装置８１を通じて、他号機に対して運転条件の問合わせを行なう。そして、状態監視装置８２は、通信装置８１を通じて他号機の運転条件を他号機から取得し、自号機の運転条件と一致する運転条件を有する他号機から通信装置８１を通じて計測データを取得する。
【００４６】
そして、状態監視装置８２は、自号機において収集された計測データと、自号機の運転条件と一致する運転条件を有する他号機から取得された、自号機の計測データと同期する他号機の計測データとを用いて、自号機及び他号機の状態を監視する状態監視処理を実行する。この状態監視処理の詳細については、後ほど説明する。
【００４７】
記憶装置８３は、たとえば、ハードディスクやソリッドステートドライブ等の記憶媒体を含んで構成される。記憶装置８３は、自号機において収集され状態監視装置８２により算出された各種計測データを記録する。また、記憶装置８３は、通信装置８１を通じて他号機から取得された他号機の各種計測データを、自号機の計測データとともに記録する。このように、この実施の形態では、風力発電所１における複数の風力発電装置１０の計測データは、風力発電装置１０において保有されるので、各風力発電装置１０の計測データを保有するためのデータサーバを別途設ける必要はない。
【００４８】
図４は、図３に示した状態監視装置８２により実行される処理の手順の一例を示すフローチャートである。なお、このフローチャートに示される一連の処理は、所定時間毎又は所定の条件が成立する毎に繰り返し実行される。
【００４９】
図４を参照して、状態監視装置８２は、自号機の運転条件を取得する（ステップＳ１０）。具体的には、状態監視装置８２は、自号機における主軸２０（ブレード３０）の回転速度や発電機５０の発電電力等のデータを取得する。なお、取得される運転条件は、回転速度や発電電力に限定されるものではなく、風速や発電機軸のトルク等、風力発電装置１０の運転状態を特徴付ける物理量を含み得る。
【００５０】
次いで、状態監視装置８２は、取得された運転条件が有効な運転条件であるか否かを判定する（ステップＳ１５）。たとえば、主軸２０（ブレード３０）の回転速度がしきい値よりも低かったり、発電機５０の発電電力がしきい値よりも低かったりする場合には、有効な運転条件ではないものとされる。そして、有効な運転条件でなければ（ステップＳ１５においてＮＯ）、以降の一連の処理は実行されずにリターンへと処理が移行される。
【００５１】
ステップＳ１５において有効な運転条件であると判定されると（ステップＳ１５においてＹＥＳ）、状態監視装置８２は、自号機の運転条件パターンを設定する（ステップＳ２０）。運転条件パターンとは、状態監視を実行する運転条件であり、たとえば、主軸２０の回転速度がＮ１（ｒｐｍ）からＮ２（ｒｐｍ）の範囲であり、かつ、発電機５０の発電電力がＰ１（ｋＷ）からＰ２（ｋＷ）の範囲であることが、運転条件パターンとして設定される。
【００５２】
なお、運転条件パターンは、過去の所定期間に計測された計測データから設定されるものであってもよいし、この監視システムを利用する担当者によって設定されるものであってもよい。また、このような運転条件パターンの設定は、他号機の状態監視装置８２においても同様に行なわれる。
【００５３】
次いで、状態監視装置８２は、通信装置８１を通じて他号機に対して運転条件の問合わせを行ない、他号機から通信装置８１を通じて他号機の運転条件パターンを取得する（ステップＳ２５）。なお、状態監視装置８２は、全ての他号機に対して問合わせを行ない、全ての他号機から運転条件パターンを取得する。そして、状態監視装置８２は、取得された各他号機の運転条件パターンが自号機の運転条件パターンと一致するか否かを判定する（ステップＳ３０）。この運転条件パターンの一致判定については、理想的には、全ての他号機の運転条件パターンが自号機の運転条件パターンと一致することであるが、一部の複数の他号機との一致であってもよい。
【００５４】
自号機の運転条件パターンと一致する運転条件パターンを有する他号機がない場合には（ステップＳ３０においてＮＯ）、以降の一連の処理は実行されずにリターンへと処理が移行される。
【００５５】
ステップＳ３０において各他号機（或いは一部の複数の他号機）の運転条件パターンが自号機の運転条件パターンと一致するものと判定されると（ステップＳ３０においてＹＥＳ）、状態監視装置８２は、データの計測中であるか否かを判定する（ステップＳ３５）。データ計測中でなければ（ステップＳ３５においてＮＯ）、データの計測が開始される（ステップＳ４０）。
【００５６】
そして、状態監視装置８２は、自号機において収集された計測データ、及び他号機から取得された他号機の計測データを用いて、自号機及び他号機の状態を監視する状態監視処理を実行する（ステップＳ４５）。この状態監視処理については後述する。そして、状態監視処理が実行されると、状態監視装置８２は、次の運転条件パターン（たとえば運転条件を変更して状態監視を行なう等）での状態監視を行なうために、ステップＳ２０において設定された運転条件パターンをクリアする（ステップＳ５０）。なお、次の運転条件パターンは、今回の運転条件パターンと異なるものであってもよいし、同じものであってもよい。
【００５７】
図５は、図４のステップＳ４５において実行される状態監視処理の具体的な手順の一例を示すフローチャートである。また、図６は、状態監視処理における各種データの演算結果の一例を示す図である。
【００５８】
この状態監視処理においては、概略的には、運転条件が一致し、かつ、同期した計測データの号機間の空間距離（ユークリッド距離等）が算出され、そのばらつき度合いが算出される。さらに、監視対象の号機（たとえば自号機）を除いた場合の上記ばらつき度合いが算出される。そして、監視対象の号機を除いた場合に上記ばらつき度合いが小さくなるのであれば、監視対象の号機の計測データはそれ以外の号機の計測データとは離れている（距離が大きい）ものとして、監視対象の号機が異常であると判定される。
【００５９】
以下では、風力発電装置１０−１（１号機とする）に設けられる状態監視装置８２において実行される状態監視処理について代表的に説明する。
【００６０】
図５とともに図６を参照して、状態監視装置８２は、自号機の運転条件パターンと一致する運転条件を有する他号機から計測データを取得する（ステップＳ１１０）。より詳しくは、状態監視装置８２は、自号機の計測データと同期する他号機の計測データ、すなわち、自号機の計測データの収集時期を含む所定範囲の期間において他号機で収集された計測データを、他号機から通信装置８１を通じて取得する。
【００６１】
風力発電装置１０−１（１号機）の状態監視装置８２についてみれば、この例では、他の風力発電装置１０−２〜１０−１０（それぞれ２号機〜１０号機とする）から２つの計測データ１，２が取得される（図６）。なお、この例では、計測データ１は、主軸受６０の振動の実効値であり、計測データ２は、増速機４０の振動の実効値である。また、図６では、２つの計測データ１，２に基づいて状態監視が行なわれる例が示されているが、状態監視に用いられる計測データの数は、２つに限定されるものではなく、１つであってもよいし、３つ以上であってもよい。
【００６２】
次いで、状態監視装置８２は、収集された計測データ１，２毎に、自号機の計測データ及び他号機の計測データの平均値を算出する（ステップＳ１１５）。この例では、計測データ１，２毎に、１号機〜１０号機の計測データの平均値が算出されており、図６に示されるように、計測データ１の平均値は０．９７であり、計測データ２の平均値は０．２８である。そして、状態監視装置８２は、計測データ１，２毎に、各号機の計測データを平均値で除算することによって各号機の計測データを正規化する（ステップＳ１２０）。
【００６３】
次いで、状態監視装置８２は、号機毎に、正規化された計測データ１，２の原点からの空間距離を算出する（ステップＳ１２５）。空間距離は、種々の公知の距離を採用可能であり、この例では、ユークリッド距離が採用される。そして、状態監視装置８２は、号機毎に算出された上記空間距離の平均値を算出する（ステップＳ１３０）。この例では、図６に示されるように、空間距離の平均値は１．４２である。
【００６４】
空間距離の平均値が算出されると、状態監視装置８２は、号機毎に算出された空間距離が平均値よりも大きいか否かを判定する（ステップＳ１３５）。この例では、図６に示されるように、５号機，７号機，９号機，１０号機において、空間距離が平均値よりも大きいと判定されている。
【００６５】
次いで、状態監視装置８２は、号機毎に、各他号機との空間距離の合計（合計距離）を算出する（ステップＳ１４０）。具体的には、たとえば１号機についてみれば、１号機の計測データと、２号機から１０号機の各々の計測データとの空間距離の合計が算出される。そして、状態監視装置８２は、号機毎に算出された合計距離の標準偏差σ１を算出する（ステップＳ１４５）。この例では、図６に示されるように、標準偏差σ１は０．７６である。
【００６６】
さらに、状態監視装置８２は、号機毎に、当該号機以外の上記合計距離の標準偏差σ２を算出する（ステップＳ１５０）。具体的には、たとえば１号機についてみれば、２号機から１０号機の各々の合計距離の標準偏差σ２が算出される。
【００６７】
そして、状態監視装置８２は、号機毎に、算出された空間距離が平均値よりも大きく（ステップＳ１３５において「大」の判定）、かつ、標準偏差σ２＜標準偏差σ１となる号機が存在するか否かを判定する（ステップＳ１５５）。なお、上記では、算出された空間距離が平均値よりも大きいとの条件が付されているが、この条件を設けずに、標準偏差σ２＜標準偏差σ１となる号機が存在するか否かだけを判定してもよい。なお、上記の標準偏差σ１は、この発明における「第１の集合データのばらつき度合い」に相当し、標準偏差σ２は、この発明における「第２の集合データのばらつき度合い」に相当する。この例では、図６に示されるように、５号機と７号機とにおいて上記の条件が満たされているものと判定されている（図６の「判定結果」において「×」）。
【００６８】
ステップＳ１５５において上記の条件を満たす号機が存在しない場合には（ステップＳ１５５においてＮＯ）、今回の状態監視処理において異常と判定される号機はないものとされ、以降の処理は実行されずにリターンへと処理が移行される。
【００６９】
ステップＳ１５５において上記の条件を満たす号機が存在するものと判定されると（ステップＳ１５５においてＹＥＳ）、状態監視装置８２は、該当する号機の累積異常ポイントを１つ加算する（ステップＳ１６０）。この実施の形態では、上記の条件を満たす号機について、１度の異常判定のみをもって直ちにアラームを通知する等の処理を実行するのではなく、繰り返し実行される状態監視処理によって複数回の異常が判定された場合に、アラームを通知する等の処理が実行される。なお、この例では、図６に示されるように、５号機の累積異常ポイントが「１」となり、７号機の累積異常ポイントが「３」となっている。
【００７０】
ステップＳ１６０において該当する号機の累積異常ポイントが加算されると、状態監視装置８２は、累積異常ポイントがＮ（Ｎは２以上の所定の自然数）以上の号機が存在するか否かを判定する（ステップＳ１６５）。そして、累積異常ポイントがＮ以上となった号機については（ステップＳ１６５においてＹＥＳ）、状態監視装置８２は、当該号機にアラームを通知する（ステップＳ１７０）。具体的には、状態監視装置８２は、当該号機が自号機であれば、自号機においてアラームを出力し、当該号機が他号機であれば、通信装置８１を通じて他号機へアラームを出力する。
【００７１】
図７は、累積異常ポイントの推移例を示す図である。図７を参照して、この例では、７号機において累積異常ポイントが上昇している。このような累積異常ポイントのトレンドから、複数の風力発電装置１０において異常が生じている号機を判別することができる。
【００７２】
以上のように、この実施の形態においては、自号機においてデータが収集されるとともに、他号機の運転条件が自号機の運転条件と一致する場合に、自号機のデータと同期する他号機のデータが他号機から取得される。そして、状態監視装置８２により、自号機のデータと他号機のデータとを含む第１の集合データのばらつき度合いに基づいて、自号機の状態が監視される。これにより、状態を監視するためのしきい値を予め設定し、設定されたしきい値を管理する必要はなくなり、運転条件が一致し、かつ、同期した他号機のデータを用いて自号機の状態を監視することができる。したがって、この実施の形態によれば、風力発電装置１０の状態をより効率的に監視することができる。
【００７３】
また、この実施の形態においては、自号機のデータと他号機のデータとを含む第１の集合データのばらつき度合いに基づいて、他号機の状態がさらに監視される。これにより、他号機においても、しきい値を予め設定したり、設定されたしきい値を管理したりする必要はなくなり、運転条件が一致し、かつ、同期したその他の号機のデータを用いて他号機の状態を監視することができる。
【００７４】
また、この実施の形態においては、データのばらつき度合いに基づいて異常と判定された号機において、異常が生じていると判定された回数が所定数以上の場合に、アラームが報知される。したがって、この実施の形態によれば、異常発生のトレンドを捉えて、確実に、異常が生じている号機においてアラームを出力させることができる。
【００７５】
また、この実施の形態においては、風力発電所１における各風力発電装置１０の計測データは、監視ユニット８０内の記憶装置８３に蓄積されるので、各風力発電装置１０の計測データを蓄積するためのデータサーバを別途設ける必要はない。
【００７６】
［変形例］
上記の実施の形態では、各風力発電装置１０の監視ユニット８０がＬＡＮケーブル８５を通じてハブ装置１２に接続され、複数の風力発電装置１０間のデータ通信は、ハブ装置１２を通じて行なわれるものとしたが、複数の風力発電装置１０間で互いに無線通信を行なうようにしてもよい。これにより、地上等にハブ装置１２を設ける必要がなくなる。
【００７７】
図８は、変形例における風力発電所の全体図である。図８を参照して、風力発電所１Ａは、複数の風力発電装置１１（１１−１〜１１−１０）を備える。
【００７８】
図９は、図８に示した各風力発電装置１１の構成例を示す図である。図９を参照して、風力発電装置１１は、図２に示した風力発電装置１０の構成において、無線装置９５をさらに含む。
【００７９】
無線装置９５は、他の風力発電装置１１のナセル内に設けられる無線装置と無線ＬＡＮにより通信するための装置である。無線装置９５は、通信方向が特定されない無指向性アンテナを含む。これにより、各風力発電装置１１は、風向きに応じてナセル９０が回動しても、他の風力発電装置１１と通信することができる。なお、ナセル９０内における無線装置９５と監視ユニット８０との間の通信は、ＬＡＮケーブル８５を通じて行なわれるものとしているが、無線通信としてもよい。
【００８０】
なお、図８において特に図示していないが、各風力発電装置１１と監視端末１４との間においても無線通信可能であり、監視端末１４は、各風力発電装置１０の状態監視装置による状態監視の結果や、各風力発電装置１０において収集されるデータ等を無線通信により取得して、ディスプレイに表示することができる。
【００８１】
今回開示された実施の形態は、全ての点で例示であって制限的なものではないと考えられるべきである。本発明の範囲は、上記した実施の形態の説明ではなくて特許請求の範囲によって示され、特許請求の範囲と均等の意味及び範囲内での全ての変更が含まれることが意図される。
【符号の説明】
【００８２】
１，１Ａ  風力発電所、１０，１１  風力発電装置、１２  ハブ装置、１４  監視端末、２０  主軸、３０  ブレード、４０  増速機、５０  発電機、６０  主軸受、７０Ａ〜７０Ｉ  センサ、８０  監視ユニット、８１  通信装置、８２  状態監視装置、８３  記憶装置、８５  ＬＡＮケーブル、９０  ナセル、９５  無線装置、１００  タワー。
【図１】
2019173706.tif 000003
【図２】
2019173706.tif 000004
【図３】
2019173706.tif 000005
【図４】
2019173706.tif 000006
【図５】
2019173706.tif 000007
【図６】
2019173706.tif 000008
【図７】
2019173706.tif 000009
【図８】
2019173706.tif 000010
【図９】
2019173706.tif 000011